(57)【特許請求の範囲】
【請求項１】
前面壁の横方向の中央に中央鏡が取付けられ、一方の側面鏡が鏡下地フレームを介して前面壁の一側部から一方の側面壁にわたって斜めに取付けられ、他方の側面鏡が鏡下地フレームを介して前面壁の他側部から他方の側面壁にわたって斜めに取付けられた三面鏡の取付構造において、側面鏡の鏡下地フレームの背面の両側端部に鏡取付具がそれぞれ取り付けられ、一方の鏡取付具は、鏡下地フレームの背面の一側端部に取付けられる鏡取付け片と前面壁に取付けられる壁取付け片とが略Ｖ字状に連設されており、他方の鏡取付具は、鏡下地フレームの背面の他側端部に取付けられる鏡取付け片と側面壁に取付けられる壁取付け片とが略Ｖ字状に連設されており、各壁取付け片には前面壁又は側面壁のいずれかに固定した固定具がスライド自在に挿入される横長の長孔が形成されると共に、各鏡取付け片には鏡下地フレームに固定した固定具がスライド自在に挿入される横長の長孔が形成され、鏡下地フレームを横長の長孔に沿って横方向にずらせることで側面鏡の取付け角度を調節可能として成ることを特徴とする三面鏡の取付構造。
【請求項２】
鏡下地フレームの前面に側面鏡を横方向にスライド自在に支持する鏡受け金具が取付けられ、該鏡受け金具の側面壁と対向する縦枠部が側面鏡の中央鏡とは反対側の側端部と側面壁との間の隙間を隠すための隙間隠し部材を兼ねていることを特徴とする請求項１記載の三面鏡の取付構造。
【発明の詳細な説明】
【０００１】
【発明の属する技術分野】
この発明は、三面鏡の取付構造に関するものである。
【０００２】
【従来の技術】
従来より、前面壁と対向する側面壁とで囲まれた壁面に三面鏡３を取付ける場合にあたって、壁の建ちが出ていない場合は、図９に示すように、中央鏡４と側面鏡５との間に隙間Ｇが発生するという問題があった。
また、例えばユニットバスのように鏡固定用の孔を予め壁に開けておき、この孔に合わせて三面鏡を取付ける場合にあっては、図１０に示すように、三面鏡３の取付け角度によって中央鏡４と側面鏡５の間に隙間Ｇが発生したり、鏡４，５同士が干渉し合ったりするという問題があった。尚図中の６は鏡下地フレームである。
【０００３】
【発明が解決しようとする課題】
本発明は、上記従来例に鑑みてなされたもので、簡単な構造によって側面鏡の角度調整を容易に行うことができ、側面鏡と中央鏡との間の隙間をなくして外観を向上させることができる三面鏡の取付構造を提供することを課題とし、また少ない部品数で、側面鏡と側面壁との間の隙間を隠すようにした三面鏡の取付構造を提供することを課題とする。
【０００４】
【課題を解決するための手段】
上記課題を解決するために、本発明は、前面壁１の横方向Ａの中央に中央鏡４が取付けられ、一方の側面鏡５が鏡下地フレーム６を介して前面壁１の一側部から一方の側面壁２にわたって斜めに取付けられ、他方の側面鏡５が鏡下地フレーム６を介して前面壁１の他側部から他方の側面壁２にわたって斜めに取付けられた三面鏡の取付構造において、側面鏡５の鏡下地フレーム６の背面の両側端部に鏡取付具７がそれぞれ取り付けられ、一方の鏡取付具７は、鏡下地フレーム６の背面の一側端部に取付けられる鏡取付け片９と前面壁１に取付けられる壁取付け片８とが略Ｖ字状に連設されており、他方の鏡取付具７は、鏡下地フレーム６の背面の他側端部に取付けられる鏡取付け片９と側面壁２に取付けられる壁取付け片８とが略Ｖ字状に連設されており、各壁取付け片８には前面壁１又は側面壁２のいずれかに固定した固定具１１がスライド自在に挿入される横長の長孔１０が形成されると共に、各鏡取付け片９には鏡下地フレーム６に固定した固定具１３がスライド自在に挿入される横長の長孔１２が形成され、鏡下地フレーム６を横長の長孔１０、１２に沿って横方向にずらせることで側面鏡５の取付け角度θ１、θ２を調節可能として成ることを特徴としており、このように構成することで、側面鏡５を斜めに取付ける際に、鏡取付具７を用いることによって、壁面に対する側面鏡５の取付け角度を簡単に調整でき、側面鏡５と中央鏡４との隙間の発生を防止できる。
【０００５】
また、鏡下地フレーム６の前面に側面鏡５を横方向Ａにスライド自在に支持する鏡受け金具１４が取付けられ、該鏡受け金具１４の側面壁２と対向する縦枠部１７が側面鏡５の中央鏡４とは反対側の側端部と側面壁２との間の隙間を隠すための隙間隠し部材１８を兼ねているのが好ましく、この場合、鏡受け金具１４を利用して側面鏡５と側面壁２との間の隙間を隠すことができ、従って、取付けビスなどの固定具１１，１３等が外部に露出するのを防止できる。
【０００６】
【発明の実施の形態】
以下、本発明の実施形態の一例を説明する。
図１〜図５は本発明の三面鏡３の取付構造を示しており、図６〜図８は本発明の三面鏡３の取付構造を洗面台１９に応用した場合の一例を示している。図６、図７中の２０は洗面ボウル、２１は洗面カウンターであり、図８中の２２はシーリング材である。尚洗面台に限定されるものではなく、例えばユニットバスの壁面に三面鏡３を取付けるタイプのものにも適用できるのは勿論のことである。
【０００７】
三面鏡３の中央に位置する鏡（以下、「中央鏡４」という。）は、図１に示すように、前面壁１の横方向Ａの中央に取付けられている。また両側に位置する鏡（以下、「側面鏡５」という。）のうち、一方の側面鏡５は鏡下地フレーム６を介して前面壁１の一側部から一方の側面壁２にわたって斜めに取付けられ、他方の側面鏡５は鏡下地フレーム６を介して前面壁１の他側部から他方の側面壁２にわたって斜めに取付けられている。
【０００８】
鏡取付具７は、図２に示すように、側面鏡５の鏡下地フレーム６の背面の両側端部にそれぞれ取付けられる。一方の鏡取付具７は、鏡下地フレーム６の背面の一側端部に取付けられる鏡取付け片９と前面壁１に取付けられる壁取付け片８とが略Ｖ字状に連設されており、他方の鏡取付具７は、鏡下地フレーム６の背面の他側端部に取付けられる鏡取付け片９と側面壁２に取付けられる壁取付け片８とが略Ｖ字状に連設されている。各壁取付け片８には、壁側に固定される固定具１１がスライド自在に挿入される横長の長孔１０が形成されており、各鏡取付け片９には鏡下地フレーム６に固定される固定具１３がスライド自在に挿入される横長の長孔１２が形成されている。
【０００９】
側面鏡５の鏡下地フレーム６には、側面鏡５を横方向Ａにスライド自在に支持するための鏡受け金具１４が取付けられている。鏡受け金具１４は、側面鏡５がいわゆるケンドン式によって取付けられる上枠部１５と下枠部１６（図４）と、側面鏡５の中央鏡４側とは反対側の側端部が挿入される断面コ字状の縦枠部１７（図５）とで構成されており、縦枠部１７は、側面鏡５の中央鏡４とは反対側の側端部を支持する機能と、側面鏡５と側面壁２との間の隙間を隠すための隙間隠し部材１８（フィラー）としての機能とを兼ね備えている。
【００１０】
しかして、三面鏡３を取付けるにあたっては、先ず側面鏡５の鏡下地フレーム６の背面の一側端部にボルト等の固定具１３を打設すると共に、前面壁１に取付けビス１１等の固定具１１を打設し、鏡取付具７の鏡取付け片９の長孔１２に固定具１２を挿入すると共に、鏡取付具７の壁取付け片８の長孔１０に固定具１１を挿入することにより、鏡下地フレーム６の背面の一側端部を鏡取付具７を介して前面壁１に取付けることができる。同様にして、鏡下地フレーム６の背面の他側端部を別の鏡取付具７を介して側面壁２に取付けることができる。つまり、各鏡取付具７は１種類のものを複数個用いることで、左右の側面鏡５をそれぞれ角度調整可能に取付けることができるものである。
【００１１】
このように鏡取付具５を用いて左右の側面鏡５をそれぞれ取付けた後に、側面鏡５の傾き角度を調整する。つまり、鏡取付具５の壁取付け片８及び鏡取付け片９に設けられた長孔１０，１２は横長状にそれぞれ形成されているため、鏡下地フレーム６を手で横方向Ａにずらすことによって、図２のように取付け角度θ１  を小さくしたり、或いは図３のように取付け角度θ２  を大きくしたりすることができ、側面鏡５の取付け角度θ１  ，θ２  を容易に調節することができる。
【００１２】
このように鏡下地フレーム６の角度調節を行った後に、鏡下地フレーム６の前面に取付けた鏡受け金具１４に、図４に示すように、側面鏡５をケンドン式で嵌め込む。その後、図５に示すように、側面鏡５を鏡受け金具１４の縦枠部１７側にスライドさせた後に、中央鏡４を嵌め込み、最後に図５（ｄ）に示すように、側面鏡５を中央に寄せることによって側面鏡５と中央鏡４との間の隙間をなくすことができる。従って、壁の建ちが出ていない場合であっても、本発明の鏡取付具７を用いて側面鏡５の取付け角度の調整を行うことによって、中央鏡４と側面鏡５との間に隙間が発生するのを容易に防止できるようになる。なお、側面鏡５を中央に寄せても、側面鏡５と中央鏡４との間に隙間が発生する場合には、中央鏡４と側面鏡５とを鏡受け金具１４から一旦取外し、鏡下地フレーム６の角度調整を再度行うようにすればよい。
【００１３】
また、図１に示すように、鏡受け金具１４の縦枠部１７を側面壁２に当接させることによって、側面鏡５の中央鏡４とは反対側の側端部と側面壁２との間の隙間を縦枠部１７で覆い隠すことができるので、鏡受け金具１４の縦枠部１７を利用して裏側の取付けビス等の固定具１１，１３、その他の取付け部品が全く見えなくなり、意匠の妨げとなるものを外部に露出させない構造とすることができる。しかも鏡受け金具１４が隙間隠し部材１８を兼用しているので、部品数を減らして構造の簡略化及び低コスト化を図ることができる。もちろん、隙間隠し部材１８を鏡受け金具１４とは別体に設けることも可能である。
【００１４】
【発明の効果】
以上説明したように、本発明のうち請求項１記載の発明は、前面壁の横方向の中央に中央鏡が取付けられ、一方の側面鏡が鏡下地フレームを介して前面壁の一側部から一方の側面壁にわたって斜めに取付けられ、他方の側面鏡が鏡下地フレームを介して前面壁の他側部から他方の側面壁にわたって斜めに取付けられた三面鏡の取付構造において、側面鏡の鏡下地フレームの背面の両側端部に鏡取付具がそれぞれ取り付けられ、一方の鏡取付具は、鏡下地フレームの背面の一側端部に取付けられる鏡取付け片と前面壁に取付けられる壁取付け片とが略Ｖ字状に連設されており、他方の鏡取付具は、鏡下地フレームの背面の他側端部に取付けられる鏡取付け片と側面壁に取付けられる壁取付け片とが略Ｖ字状に連設されており、各壁取付け片には前面壁又は側面壁のいずれかに固定した固定具がスライド自在に挿入される横長の長孔が形成されると共に、各鏡取付け片には鏡下地フレームに固定した固定具がスライド自在に挿入される横長の長孔が形成され、鏡下地フレームを横長の長孔に沿って横方向にずらせることで側面鏡の取付け角度を調節可能として成るから、長孔に沿って鏡下地フレームを横方向に位置調節でき、前面壁と一方の鏡取付具と鏡下地フレームとの間、及び側面鏡と他方の鏡取付具と鏡下地フレームとの間で、それぞれ、横方向の位置を調整して、側面鏡の取付け角度を容易に変えることができる。従って、壁の建ちが出ていない場合であっても、側面鏡の取付け角度を調整することで、中央鏡と側面鏡との間に隙間が発生するのを容易に防止できるものである。
【００１５】
また請求項２記載の発明は、請求項１記載の効果に加えて、鏡下地フレームの前面に側面鏡を横方向にスライド自在に支持する鏡受け金具が取付けられ、該鏡受け金具の側面壁と対向する縦枠部が側面鏡の中央鏡とは反対側の側端部と側面壁との間の隙間を隠すための隙間隠し部材を兼ねているから、鏡受け金具によって側面鏡と側面壁との隙間が隠され、裏側の取付けビス等の固定具が見えなくなり、意匠の妨げとなるものを外部に露出させない構造とすることができると共に、鏡受け金具を隙間隠し部材に兼用しているので、部品数を減らして構造の簡略化及び低コスト化を図ることができる。
【図面の簡単な説明】
【図１】本発明の実施形態の一例を示す平面図である。
【図２】同上の鏡下地フレームの取付け角度を小さくした場合の説明図である。
【図３】同上の鏡下地フレームの取付け角度を大きくした場合の説明図である。
【図４】（ａ）〜（ｃ）は側面鏡をケンドン式で取付ける動作の説明図である。
【図５】（ａ）〜（ｄ）は側面鏡と中央鏡とを取付ける動作の説明図である。
【図６】同上の三面鏡が取付けられた洗面台の正面図である。
【図７】同上の平面図である。
【図８】図７の要部拡大図である。
【図９】従来例の説明図である。
【図１０】他の従来例の説明図である。
【符号の説明】
１  前面壁
２  側面壁
３  三面鏡
４  中央鏡
５  側面鏡
６  鏡下地フレーム
７  鏡取付具
８  壁取付け片
９  鏡取付け片
１０，１２  長孔
１１，１３  固定具
１４  鏡受け金具
１７  縦枠部
１８  隙間隠し部材
【図１】
0003591228.tif 000002
【図２】
0003591228.tif 000003
【図３】
0003591228.tif 000004
【図４】
0003591228.tif 000005
【図５】
0003591228.tif 000006
【図６】
0003591228.tif 000007
【図７】
0003591228.tif 000008
【図８】
0003591228.tif 000009
【図９】
0003591228.tif 000010
【図１０】
0003591228.tif 000011